(57)【特許請求の範囲】
【請求項１】
浸水を防止するための堰を形成するウォーターフェンス本体部と、
前記ウォーターフェンス本体部を覆うシートまたは前記ウォーターフェンス本体部に対して連結される連結部と、収容部とを含む構造体と、
前記ウォーターフェンス本体部の底面に配置され、前記ウォーターフェンス本体部の設置面への設置性を向上させる設置力増強部材とを備え、
前記ウォーターフェンス本体部は、前記底面と前記設置面との間の水を吸い取る吸水装置を取り付けるための吸水装置取付部を含み、
前記ウォーターフェンス本体部の設置時の自重と、前記吸水装置が吸水することとによって、前記設置力増強部材は、弾性圧縮変形するとともに、外部の水を所定量透過させるよう構成されている、ウォーターフェンス。
【請求項２】
前記構造体は、前記収容部に水を収容可能に構成されているとともに、水が収容された状態で自立するように構成されている、請求項１に記載のウォーターフェンス。
【請求項３】
前記構造体の前記収容部は、袋状に形成されている、請求項１または２に記載のウォーターフェンス。
【請求項４】
前記連結部は、防水性を有するファスナーを有する、請求項１〜３のいずれか１項に記載のウォーターフェンス。
【請求項５】
前記構造体は、複数設けられており、
一方の前記構造体の前記連結部は、他方の前記構造体と連結可能に構成されている、請求項１〜４のいずれか１項に記載のウォーターフェンス。
【請求項６】
前記収容部は、略直方体形状に形成されており、
前記連結部は、略直方体形状の前記収容部の上下方向に延びる辺に設けられている、請求項１〜５のいずれか１項に記載のウォーターフェンス。
【請求項７】
前記連結部は、略直方体形状の前記収容部の上下方向に延びる１つの辺に複数設けられている、請求項６に記載のウォーターフェンス。
【発明の詳細な説明】
【技術分野】
【０００１】
この発明は、ウォーターフェンスに関する。
【背景技術】
【０００２】
従来、浸水を防止するための水嚢（ウォーターフェンス）が知られている（たとえば、特許文献１参照）。
【０００３】
上記特許文献１には、洪水などによって大量の水が流れ出た場合、袋体に水を注水して、流出した水による浸水を防ぐ堰として機能させるための水嚢（ウォーターフェンス）が開示されている。この特許文献１の水嚢は、流出した水によって水嚢が流されないように積載性や、設置性を向上させる為に水嚢の底面に吸盤が複数設けられている。
【先行技術文献】
【特許文献】
【０００４】
【特許文献１】特開２００５−１６３５１４号公報
【発明の概要】
【発明が解決しようとする課題】
【０００５】
しかしながら、上記特許文献１では、水嚢（ウォーターフェンス）の設置性を向上させることができるものの、複数設置された水嚢の間から水が侵入するのを抑制することが困難であると考えられる。このため、浸水を効果的に抑制することが困難であるという問題点がある。
【０００６】
この発明は、上記のような課題を解決するためになされたものであり、この発明の１つの目的は、浸水を効果的に抑制することが可能なウォーターフェンスを提供することである。
【課題を解決するための手段】
【０００７】
この発明の一の局面によるウォーターフェンスは、浸水を防止するための堰を形成するウォーターフェンス本体部と、ウォーターフェンス本体部を覆うシートまたはウォーターフェンス本体部に対して連結される連結部と、収容部とを含む構造体と、ウォーターフェンス本体部の底面に配置され、ウォーターフェンス本体部の設置面への設置性を向上させる設置力増強部材とを備え、ウォーターフェンス本体部は、底面と設置面との間の水を吸い取る吸水装置を取り付けるための吸水装置取付部を含み、ウォーターフェンス本体部の設置時の自重と、吸水装置が吸水することとによって、設置力増強部材は、弾性圧縮変形するとともに、外部の水を所定量透過させるよう構成されている。
【０００８】
この発明の一の局面によるウォーターフェンスでは、上記のように、ウォーターフェンス本体部を覆うシート、または、ウォーターフェンス本体部に対して連結される連結部と、収容部とを含む構造体を設ける。これにより、ウォーターフェンス本体部を覆うシートまたはウォーターフェンス本体部と、構造体とを連結部により連結することにより、ウォーターフェンス本体部と構造体との間から水が侵入するのを抑制することができる。その結果、浸水を効果的に抑制することができる。また、構造体の収容部に水などを収容させることにより、構造体を設置面により安定して密着させることができるので、これによっても、浸水を効果的に抑制することができる。また、ウォーターフェンス本体部の底面に配置され、ウォーターフェンス本体部の設置面への設置性を向上させる設置力増強部材を備えることによって、凹凸のある設置面に対しての設置性や水密性を向上させて、浸水をより効果的に抑制することができる。また、ウォーターフェンス本体部の設置時の自重と、吸水装置が吸水することとによって、設置力増強部材は、弾性圧縮変形するとともに、外部の水を所定量透過させる。これにより、外部から設置面とウォーターフェンス本体部の底面との間に侵入する水を適量に抑制しつつ吸水装置の自吸水を確保することができるので、吸水装置を駆動させることにより、設置力増強部材が適量の浸水を通過させることができる。これにより、ウォーターフェンス本体部の底面と設置面との間に適量の浸水を導水することができるので、その浸水を吸水装置により自吸継続しながら設置面への密着力を保持することができる。その結果、浸水をさらに効果的に抑制することができる。
【０００９】
上記一の局面によるウォーターフェンスにおいて、好ましくは、構造体は、収容部に水を収容可能に構成されているとともに、水が収容された状態で自立するように構成されている。このように構成すれば、構造体に水を入れるだけで、容易に水の侵入を抑制するウォーターフェンスの一部としての構造体を形成することができる。
【００１０】
上記一の局面によるウォーターフェンスにおいて、好ましくは、構造体の収容部は、袋状に形成されている。このように構成すれば、構造体に収容された水をこぼすことなく保持することができるので、構造体が大きく変形することを抑制することができる。
【００１１】
上記一の局面によるウォーターフェンスにおいて、好ましくは、連結部は、防水性を有するファスナーを有する。このように構成すれば、連結部から水が侵入することを確実に防止することができるので、浸水をより効果的に抑制することができる。
【００１２】
上記一の局面によるウォーターフェンスにおいて、好ましくは、構造体は、複数設けられており、一方の構造体の連結部は、他方の構造体と連結可能に構成されている。このように構成すれば、複数の構造体を連結させてウォーターフェンスの大きさを調整することができるので、設置場所に応じて適切な大きさのウォーターフェンスを設置することができる。
【００１３】
上記一の局面によるウォーターフェンスにおいて、好ましくは、収容部は、略直方体形状に形成されており、連結部は、略直方体形状の収容部の上下方向に延びる辺に設けられている。このように構成すれば、略直方体形状の収容部の面を、連結するウォーターフェンス本体部などの面に合わせるとともに、上下方向に延びる辺に設けられた連結部を連結することにより、構造体をウォーターフェンス本体部などに連結した際の隙間が大きくなるのを抑制することができる。
【００１４】
この場合、好ましくは、連結部は、略直方体形状の収容部の上下方向に延びる１つの辺に複数設けられている。このように構成すれば、略直方体形状の収容部の同じ辺に設けられた複数の連結部に、それぞれ、ウォーターフェンス本体部や他の構造体などを連結することができる。
【発明の効果】
【００１７】
本発明によれば、上記のように、浸水を効果的に抑制することができる。
【図面の簡単な説明】
【００１８】
【図１】本発明の第１実施形態によるウォーターフェンスのウォーターフェンス本体部を上方から見た斜視図である。
【図２】本発明の第１実施形態によるウォーターフェンスの構造体を示した斜視図である。
【図３】本発明の第１実施形態によるウォーターフェンスを設置した状態を示した斜視図である。
【図４】本発明の第１実施形態によるウォーターフェンスのウォーターフェンス本体部を下方から見た斜視図である。
【図５】本発明の第１実施形態によるウォーターフェンスのウォーターフェンス本体部から設置力増強部材を取り外した状態を示した斜視図である。
【図６】本発明の第１実施形態によるウォーターフェンスのウォーターフェンス本体部の分解斜視図である。
【図７】本発明の第１実施形態によるウォーターフェンスの設置力増強部材の特性を示した表である。
【図８】本発明の第１実施形態によるウォーターフェンスの第１設置力増強部材の特性を示した表である。
【図９】本発明の第２実施形態によるウォーターフェンスを設置した状態を示した斜視図である。
【図１０】本発明の第３実施形態によるウォーターフェンスを設置した状態を示した斜視図である。
【図１１】本発明の第４実施形態によるウォーターフェンスを設置した状態を示した斜視図である。
【発明を実施するための形態】
【００１９】
以下、本発明の実施形態を図面に基づいて説明する。
【００２０】
［第１実施形態］
図１〜図８を参照して、本発明の第１実施形態について説明する。第１実施形態によるウォーターフェンス１００は、建物への浸水を防いだり、工事現場などにおいて水を長時間せき止めたり、流れを有する河川などをせき止めたりするために用いられる。
【００２１】
（ウォーターフェンスの構成）
ウォーターフェンス１００は、図１〜図３に示すように、ウォーターフェンス本体部１と、設置力増強部材２とを備えている。また、ウォーターフェンス本体部１には、自吸機能を有した自吸ポンプ（以下「ポンプ」と称す）３が接続されている。また、ポンプ３は、急な増水に対しても信頼性の高い水没使用が可能な防水構造を有するポンプとすることが望ましい。また、ウォーターフェンス本体部１には、重りとしてペットボトル４が配置されている。また、ウォーターフェンス１００は、図３に示すように、構造体５と、シート６とを備えている。
【００２２】
（ウォーターフェンス本体部の構成）
ウォーターフェンス本体部１は、図１に示すように、第１部材１１と、第２部材１２と、連結部材１３とを含んでいる。第１部材１１は、吸水装置取付部１１１と、吸水口部１１２（図５参照）と、溝部１１３（図５参照）と、連結用係合部１１４（図６参照）と、嵌合部１１５（図６参照）とを有している。第２部材１２は、重り取付部１２１（図１参照）と、溝部１２２（図５参照）と、連結用係合部１２３（図６参照）と、嵌合部１２４（図６参照）とを有している。
【００２３】
設置力増強部材２は、図４および図６に示すように、第１設置力増強部材２１と、第２設置力増強部材２２とを含んでいる。
【００２４】
ウォーターフェンス本体部１は、浸水を防止するための堰を形成している。具体的には、ウォーターフェンス本体部１は、図１に示すように、第１部材１１のＸ方向の両端に、それぞれ、第２部材１２が連結されている。つまり、ウォーターフェンス本体部１は、複数に分割可能に構成されている。第１部材１１と第２部材１２とは、ゴム製の連結部材１３により互いに連結されている。詳しくは、図６に示すように、第１部材１１の連結用係合部１１４と、第２部材１２の連結用係合部１２３とが隣接して配置された状態で、連結部材１３が、連結用係合部１１４および連結用係合部１２３の両方に係合している。連結部材１３は、第１部材１１および第２部材１２の側面（Ｙ１方向側およびＹ２方向側の側面）と、上面（Ｚ１方向側の面）とに跨って係合するように構成されている。
【００２５】
第１部材１１は、水を透過させない素材により形成されている。第１部材１１は、たとえば、ゴムや樹脂或いは金属などにより形成されている。第１部材１１の吸水装置取付部１１１には、図２に示すように、ポンプ３が連結されるように構成されている。吸水装置取付部１１１は、ウォーターフェンス本体部１の底面１ａ側（Ｚ２方向側）に設けられた吸水口部１１２（図４参照）と連通している。つまり、ウォーターフェンス本体部１の底面１ａと設置面との間の水が、ポンプ３により吸水口部１１２および吸水装置取付部１１１を介して吸水される。また、吸水口部１１２に、異物除去用のフィルターを設けてもよい。これにより、ポンプ３によって吸い込み、排出される水からゴミなどの異物を除去することができるので、緊急時の水として活用することも可能である。なお、フィルターは吸込みから排出までの間に設けられれば良いので、ポンプ３の吸水用ホースなどに設けてもよい。
【００２６】
吸水口部１１２は、スリットや突起やバースクリーン等を設けるように端面部が凹凸状に形成されている。これにより、吸水口部１１２端部の周方向から吸水することが可能になるので、吸水口部１１２が地面に接したとしてもスリットや、突起やバースクリーンの隙間から吸水することが可能である。つまり、第２設置力増強部材２２がウォーターフェンス本体部１から、たとえば数ｍｍ程度出るように取り付けられた場合、吸水口部１１２も同様にウォーターフェンス本体部１から数ｍｍ程度出る長さにまで構成することが可能である。また、バースクリーンの隙間から吸水することにより、異物の混入を抑制することができるので、ポンプ３に異物が吸い込まれるのを抑制することが可能である。
【００２７】
図５に示すように、第１部材１１の下面側（Ｚ２方向側）には、溝部１１３が設けられている。溝部１１３には、設置力増強部材２が嵌り込むように配置される。また、溝部１１３は、吸水口部１１２をＹ方向に挟み込むように、１対設けられている。また、溝部１１３は、第１部材１１に連結される第２部材１２の溝部１２２とつながるように形成されている。
【００２８】
図６に示すように、第１部材１１の底面部（Ｚ２方向側部）には、第２部材１２側に凸状に突出する嵌合部１１５が設けられている。嵌合部１１５は、第２部材１２の嵌合部１２４に嵌合するように構成されている。また、嵌合部１１５は、平面視において（Ｚ方向から見て）、第２部材１２とオーバーラップするように配置されている。つまり、嵌合部１１５は、第１部材１１および第２部材１２を底面を上にして組立てた場合に、図５に示すように、第２部材１２に覆いかぶさるように、嵌合部１２４に嵌合する。
【００２９】
図１に示すように、第２部材１２は、直方体の箱型形状を有している。また、第２部材１２は、Ｘ方向に延びるように形成されている。また、第２部材１２は、水を透過させない素材により形成されている。第２部材１２は、たとえば、発泡スチロールやゴムや樹脂或いは金属などにより形成されている。第２部材１２の重り取付部１２１には、重りとしてのペットボトル４が取り付けられるように構成されている。第２部材１２の重り取付部１２１にペットボトル４が取り付けられることによりウォーターフェンス本体部１に加わる荷重を増すことが可能なように構成されている。なお、重り取付部１２１に、水、石、砂、土などを入れて重りとしてもよい。
【００３０】
図５に示すように、第２部材１２の下面側（Ｚ２方向側）には、溝部１２２が設けられている。溝部１２２には、設置力増強部材２が嵌り込むように配置される。また、溝部１２２は、Ｕ字形状に形成されている。また、溝部１２２は、第２部材１２に連結される第１部材１１の溝部１１３とつながるように形成されている。つまり、第１部材１１の溝部１１３と、第２部材１２の溝部１２２とが連結されて、長方形のロ字形状の溝部が形成される。
【００３１】
図６に示すように、第２部材１２の底面部（Ｚ２方向側部）には、第１部材１１の嵌合部１１５が嵌合する嵌合部１２４が設けられている。具体的には、嵌合部１２４は、凹状に形成されており、凸状の嵌合部１１５が嵌合するように構成されている。嵌合部１１５および嵌合部１２４が嵌合することにより、第１部材１１および第２部材１２を組み立てる際に、第１部材１１および第２部材１２がＹ方向およびＺ方向にずれることを抑制することができるとともに、第１部材１１の向きと第２部材１２の向きとを間違えることなく容易に位置決めを行うことができるので、組み立て作業を容易に行うことが可能である。
【００３２】
図４に示すように、設置力増強部材２は、ウォーターフェンス本体部１の底面１ａに配置され、ウォーターフェンス本体部１の設置面への設置性を向上させるように構成されている。つまり、ウォーターフェンス本体部１の設置時の自重と、ポンプ３が吸水することとによって、設置力増強部材２は、弾性圧縮変形するとともに、外部の水を所定量透過させることにより、ウォーターフェンス本体部１の設置面内の圧力を低圧安定させるように構成されている。
【００３３】
具体的には、設置力増強部材２は、ウォーターフェンス本体部１の自重と、ポンプ３が吸水することにより生じる負圧とにより、水の透過率が所定の値となることにより、ウォーターフェンス本体部１の底面１ａと設置面との間に外部からの水を所定量透過させてポンプ３の自吸水を確保するように構成されている。
【００３４】
図６に示すように、設置力増強部材２は、第１設置力増強部材２１と、第２設置力増強部材２２とが積層されている。第１設置力増強部材２１は、設置面側（Ｚ２方向側）に配置されている。第２設置力増強部材２２は、ウォーターフェンス本体部１側に配置されている。第１設置力増強部材２１および第２設置力増強部材２２は、接着層（接着剤や接着テープなど）を介して貼り合わされている。
【００３５】
第１設置力増強部材２１は、半連続気泡構造を有しており、圧縮変形されることにより水の透過率が変化するように構成されている。第１設置力増強部材２１は、たとえば、半連続気泡構造の気孔率５０％〜６０％程度のやわらかいスポンジにより形成されている。また、第１設置力増強部材２１は、半連続気泡構造のスポンジが圧縮されることによりスポンジの孔が小さくなり、水の透過率が変わるように構成されている。ポンプ３が駆動された場合、半連続気泡構造のスポンジは５０〜８０％程度圧縮されることが望ましい。
【００３６】
また、第１設置力増強部材２１は、ウォーターフェンス本体部１の自重と、重り取付部１２１に取り付けられたペットボトル４の重さと、ポンプ３の吸引力によって生じる負圧とにより圧縮されるように構成されている。また、ポンプ３は空気を混じって吸うと空運転となってしまうので、第１設置力増強部材２１を透過させる水はポンプ３を空運転させない水量となるように構成されている。
【００３７】
第２設置力増強部材２２は、第１設置力増強部材２１よりも硬い材料により形成されている。第２設置力増強部材２２は、たとえば、硬質のスポンジ材やゴム材により形成されている。第２設置力増強部材２２は、ウォーターフェンス本体部１の自重やポンプ３の吸引力による負圧によって圧縮されない程度の硬さを有する。また、第２設置力増強部材２２は、ウォーターフェンス本体部１の底面１ａに、ウォーターフェンス本体部１から、たとえば数ｍｍ程度出るように取り付けられている。その結果、点字ブロックなどの設置面の凸部がウォーターフェンス本体部１に直接当たることに起因してウォーターフェンス本体部１が傾いて設置されるのを抑制することが可能である。これにより、吸水口部１１２が吸水面から離脱して空気中に配置されるのを抑制することができるので、ポンプ３が空運転するのを効果的に抑制することが可能である。
【００３８】
また、第２設置力増強部材２２は、ウォーターフェンス本体部１の底面１ａの溝部１１３および１２２の幅より若干大きい幅を有するように形成されている。これにより、第２設置力増強部材２２は、溝部１１３および１２２に圧入されることによりウォーターフェンス本体部１の底面１ａに取り付けられるように構成されている。その結果、設置力増強部材２が経年劣化などにより交換が必要となった場合でも容易に取替えることが可能である。
【００３９】
ポンプ３は、ウォーターフェンス本体部１の底面１ａと設置面との間の水を吸い取るように構成されている。また、ポンプ３は、水深が浅い水を吸水可能に構成されている。これにより、ポンプ３は、設置面とウォーターフェンス本体部１の底面１ａとの間に浸水した少量の水を効果的に排水することが可能である。
【００４０】
図７を参照して、設置力増強部材２（第１設置力増強部材２１および第２設置力増強部材２２）の特性の一例について説明する。
【００４１】
図７に示すように、第１設置力増強部材２１は、たとえば、見掛け密度が１３０ｋｇ／ｍ3であり、引張強さが１００ｋＰａであり、伸びが５５０％である。また、第１設置力増強部材２１は、圧縮硬さが、圧縮率が２５％の場合、３．９ｋＰａであり、圧縮率が５０％の場合、６．０ｋＰａである。第２設置力増強部材２２は、見掛け密度が１１０ｋｇ／ｍ3であり、引張強さが１４８０ｋＰａであり、伸びが１２０％である。また、第２設置力増強部材２２は、たとえば、圧縮硬さが、圧縮率が２５％の場合、２７５ｋＰａであり、圧縮率が５０％の場合、４００ｋＰａである。つまり、第１設置力増強部材２１よりも第２設置力増強部材２２の方が硬い材料により形成されている。
【００４２】
図８を参照して、第１設置力増強部材２１の特性（水透過）の一例について説明する。
【００４３】
図８に示すように、水透過について、第１設置力増強部材２１は、圧縮率が６０％の場合、水深１００ｍｍの水頭圧（１００ｍｍＨ2Ｏ＝０．０１ｋｇｆ／ｃｍ2≒０．９８ｋＰａ）に対して、１０分を超えて３０分以内に水漏れがあった。また、第１設置力増強部材２１は、圧縮率が７０％、８０％および９０％の場合、水深１００ｍｍの水頭圧（１００ｍｍＨ2Ｏ＝０．０１ｋｇｆ／ｃｍ2≒０．９８ｋＰａ）に対して、３０分間水漏れしなかった。なお、水透過について、１０分を超えて３０分以内に水漏れがあった場合、「△」と示し、３０分間水漏れしなかった場合、「○」と示している。
【００４４】
第１設置力増強部材２１に用いる気孔率５０％〜６０％程度の半連続気泡構造のやわらかいスポンジは、図８に示す一例のように、圧縮率に応じた透過率となる。また、第１設置力増強部材２１は、５０％以上８０％以下の圧縮率になるように圧縮抑制することにより、半連続気泡構造のスポンジを透過する水量をポンプ３の呼び水として適度な透過水量に抑えることが可能である。また、第１設置力増強部材２１（スポンジ）を透過した水をポンプ３で排水するのでウォーターフェンス本体部１を越えて浸水させないようにすることが可能である。つまり、ポンプ３を駆動させた場合に、第１設置力増強部材２１の圧縮率が５０％以上８０％以下になることが好ましい。
【００４５】
（構造体の構成）
図２および図３を参照して、構造体５について説明する。
【００４６】
ここで、第１実施形態では、図２に示すように、構造体５は、連結部５１と、収容部５２と、密閉部５３と、把持部５４とを含んでいる。また、構造体５は、収容部５２に水を収容可能に構成されているとともに、水が収容された状態で自立するように構成されている。
【００４７】
連結部５１は、ウォーターフェンス本体部１を覆うシート６、または、ウォーターフェンス本体部１に対して連結されるように構成されている。具体的には、連結部５１は、略直方体形状の収容部５２の上下方向（Ｚ方向）に延びる辺に設けられている。また、連結部５１は、略直方体形状の収容部５２の上下方向に延びる１つの辺に複数設けられている。具体的には、連結部５１は、略直方体形状の収容部５２の上下方向に延びる４つの辺に、それぞれ２つずつ平行に設けられている。また、連結部５１は、防水性を有するファスナーを有している。
【００４８】
収容部５２は、水や砂や石などの重りを収容可能に構成されている。また、収容部５２は、略直方体形状に形成されている。また、収容部５２は、柔軟性を有する材料により形成されている。たとえば、収容部５２は、透明または半透明の高分子素材により形成されている。また、収容部５２は、密閉可能な袋状に形成されている。
【００４９】
密閉部５３は、略直方体形状の収容部５２の上面の２辺に設けられている。また、密閉部５３は、防水性を有するファスナーを有している。また、密閉部５３を解放することにより、収容部５２の上側から水や砂や石などの重りを入れることが可能となる。また、密閉部５３を閉塞することにより、収容部５２の上部が密閉される。
【００５０】
把持部５４は、構造体５を運搬や設置などする際にユーザにより把持されるように構成されている。
【００５１】
（シートの構成）
図３を参照して、ウォーターフェンス本体部１を覆うシート６について説明する。
【００５２】
図３に示すように、シート６は、ウォーターフェンス本体部１を覆うように構成されている。また、シート６は、ウォーターフェンス本体部１の背面側（Ｙ１方向側）のたとえば、柱６０や壁或いは扉などに取り付けられている。シート６は、水を透過させない素材により形成されている。たとえば、シート６は、ポリ塩化ビニルにより形成されている。また、シート６は、たとえば、約０．５ｍｍの厚みを有する。また、ポンプ３を駆動させることにより、シート６が背面側（Ｙ１方向側）の柱６０や壁および設置面に吸着するように構成されている。
【００５３】
また、シート６をウォーターフェンス本体部１を覆うように設置することにより、ウォーターフェンス本体部１の背面（Ｙ１方向側）に回りこむ水をせき止めながら、ポンプ３により排水を行うことが可能に構成されている。
【００５４】
シート６は、カバー部６１と、背面部６２とを備えている。カバー部６１は、ウォーターフェンス本体部１を覆うように構成されている。カバー部６１の前面側（Ｙ２方向側）は、設置面に対してわずかに離間して配置されている。つまり、カバー部６１に覆われたウォーターフェンス本体部１の前面側（Ｙ２方向側）の設置面近傍における設置力増強部材２は、露出している。
【００５５】
また、カバー部６１の側面（Ｘ方向の面）の上下方向に延びる辺には、構造体５の連結部５１が連結可能なカバー部側連結部が設けられている。
【００５６】
背面部６２は、ウォーターフェンス本体部１の側面（Ｘ方向）から背面側（Ｙ１方向側）に回り込む水を止めるために設けられている。具体的には、背面部６２は、カバー部６１の背面側（Ｙ１方向側）に設けられている。背面部６２は、前面から見て（Ｙ２方向から見て）カバー部６１よりも大きい投影面積を有している。具体的には、背面部６２は、Ｘ方向において、カバー部６１よりも大きい長さを有している。また、背面部６２は、Ｚ方向において、カバー部６１よりも大きい長さを有している。背面部６２には、フックや吸盤等を利用することで背面側（Ｙ１方向側）の壁や柱などに背面部６２を取り付けるための複数の孔部が設けられている。複数の孔部は、背面部６２のＸ方向における両端の上側（Ｚ１方向側）に設けられている。つまり、孔部には、フックがかけられたり、吸盤が取り付けられるように構成されている。
【００５７】
カバー部６１と背面部６２との間には、水溜り部６ａが設けられている。水溜り部６ａは、ウォーターフェンス本体部１を越えた水を溜めることが可能に構成されている。水溜り部６ａに溜まった水はウォーターフェンス本体部１に接続されたポンプ３により排水させることが可能である。
【００５８】
ここで、第１実施形態ではシート６のＸ方向の両側には、構造体５が連結されている。具体的には、構造体５の連結部５１が、連結位置５０において、シート６のカバー部側連結部と連結している。
【００５９】
（第１実施形態の効果）
第１実施形態では、以下のような効果を得ることができる。
【００６０】
第１実施形態では、上記のように、ウォーターフェンス本体部１を覆うシート６に対して連結される連結部５１と、収容部５２とを含む構造体５を設ける。これにより、ウォーターフェンス本体部１を覆うシート６と、構造体５とを連結部５１により連結することにより、ウォーターフェンス本体部１と構造体５との間から水が侵入するのを抑制することができる。その結果、浸水を効果的に抑制することができる。また、構造体５の収容部５２に水などを収容させることにより、構造体５を設置面により安定して密着させることができるので、これによっても、浸水を効果的に抑制することができる。
【００６１】
また、第１実施形態では、上記のように、構造体５を、収容部５２に水を収容可能に構成するとともに、水が収容された状態で自立するように構成する。これにより、構造体５に水を入れるだけで、容易に水の侵入を抑制するウォーターフェンス１００の一部としての構造体５を形成することができる。
【００６２】
また、第１実施形態では、上記のように、構造体５の収容部５２を、袋状に形成する。これにより、構造体５に収容された水をこぼすことなく保持することができるので、構造体５が大きく変形することを抑制することができる。
【００６３】
また、第１実施形態では、上記のように、連結部５１は、防水性を有するファスナーを有する。これにより、連結部５１から水が侵入することを確実に防止することができるので、浸水をより効果的に抑制することができる。
【００６４】
また、第１実施形態では、上記のように、収容部５２を、略直方体形状に形成し、連結部５１を、略直方体形状の収容部５２の上下方向に延びる辺に設ける。これにより、略直方体形状の収容部５２の面を、連結するウォーターフェンス本体部１などの面に合わせるとともに、上下方向に延びる辺に設けられた連結部５１を連結することにより、構造体５をウォーターフェンス本体部１を覆うシート６に連結した際の隙間が大きくなるのを抑制することができる。
【００６５】
また、第１実施形態では、上記のように、連結部５１を、略直方体形状の収容部５２の上下方向に延びる１つの辺に複数設ける。これにより、略直方体形状の収容部５２の同じ辺に設けられた複数の連結部５１に、それぞれ、ウォーターフェンス本体部１や他の構造体５などを連結することができる。
【００６６】
［第２実施形態］
次に、図９を参照して、本発明の第２実施形態について説明する。この第２実施形態では、ウォーターフェンス本体部１の側面に構造体５が配置されていた上記第１実施形態の構成に加えて、ウォーターフェンス本体部１の背面側にも構造体５を配置した例について説明する。
【００６７】
図９に示すように、第２実施形態のウォーターフェンス２００は、ウォーターフェンス本体部１と、設置力増強部材２と、ポンプ３と、４つの構造体５と、シート６とを備えている。
【００６８】
ここで、第２実施形態では、シート６のＸ方向の両側には、構造体５が２つずつ連結されている。具体的には、構造体５の連結部５１が、連結位置５０において、シート６のカバー部側連結部と連結している。また、シート６のぞれぞれの側面（Ｘ方向側の面）に対して、構造体５は、Ｙ方向に並んで配置されている。つまり、構造体５は、複数設けられており、一方の構造体５の連結部５１が、他方の構造体５と連結可能に構成されている。
【００６９】
なお、第２実施形態のその他の構成は、上記第１実施形態と同様である。
【００７０】
（第２実施形態の効果）
第２実施形態では、以下のような効果を得ることができる。
【００７１】
第２実施形態では、上記第１実施形態と同様に、ウォーターフェンス本体部１を覆うシート６に対して連結される連結部５１と、収容部５２とを含む構造体５を設ける。これにより、浸水を効果的に抑制することができる。
【００７２】
また、第２実施形態では、構造体５を、複数設け、一方の構造体５の連結部５１を、他方の構造体５と連結可能に構成する。これにより、複数の構造体５を連結させてウォーターフェンス２００の形状を調整することができるので、設置場所に応じて適切な形状のウォーターフェンス２００を設置することができる。
【００７３】
なお、第２実施形態のその他の効果は、上記第１実施形態と同様である。
【００７４】
［第３実施形態］
次に、図１０を参照して、本発明の第３実施形態について説明する。この第３実施形態では、ウォーターフェンス本体部１にシート６を被せた上記第１および第２実施形態とは異なり、ウォーターフェンス本体部１にシート６を被せない構成の例について説明する。
【００７５】
図１０に示すように、第３実施形態のウォーターフェンス３００は、ウォーターフェンス本体部１と、設置力増強部材２と、ポンプ３と、構造体５とを備えている。また、ウォーターフェンス３００は、複数のウォーターフェンス本体部１と、構造体５とが、直線的に接続されている。
【００７６】
ここで、第３実施形態では、ウォーターフェンス本体部１に加えて、構造体５の底面にも設置力増強部材２が設けられている。ウォーターフェンス本体部１の底面の設置力増強部材２と、構造体５の底面の設置力増強部材２とは、ウォーターフェンス３００の底部に環状に形成されている。つまり、ウォーターフェンス本体部１の底面および構造体５の底面に設けらた設置力増強部材２により囲まれた領域は、ポンプ３に接続された吸水口部１１２（図５参照）に連通している。
【００７７】
また、ウォーターフェンス本体部１および構造体５の設置時の自重と、ポンプ３が吸水することとによって、設置力増強部材２が、弾性圧縮変形するとともに、外部の水を所定量透過させるよう構成されている。
【００７８】
構造体５は、連結位置５０において、連結部５１が連結部材１４に連結している。連結部材１４は、ウォーターフェンス本体部１に連結されている。具体的には、端面に防水性を有するファスナーが設けられたカバー状の連結部材１４が、連結部５１と係合することによって、ウォーターフェンス本体部１に連結されている。
【００７９】
なお、第３実施形態のその他の構成は、上記第１実施形態と同様である。
【００８０】
（第３実施形態の効果）
第３実施形態では、以下のような効果を得ることができる。
【００８１】
第３実施形態では、ウォーターフェンス本体部１に対して連結される連結部５１と、収容部５２とを含む構造体５を設ける。これにより、浸水を効果的に抑制することができる。
【００８２】
また、第３実施形態では、ウォーターフェンス本体部１および構造体５の底面に配置され、ウォーターフェンス本体部１および構造体５の設置面への設置性を向上させる設置力増強部材２を設ける。これにより、凹凸のある設置面に対しての設置性や水密性を向上させて、浸水をより効果的に抑制することができる。
【００８３】
また、第３実施形態では、ウォーターフェンス本体部１および構造体５の設置時の自重と、ポンプ３が吸水することとによって、設置力増強部材２が、弾性圧縮変形するとともに、外部の水を所定量透過させるよう構成する。これにより、外部から設置面とウォーターフェンス本体部１および構造体５の底面との間に侵入する水を適量に抑制しつつポンプ３の自吸水を確保することができるので、ポンプ３を駆動させることにより、設置力増強部材２が適量の浸水を通過させることができる。これにより、ウォーターフェンス本体部１および構造体５の底面と設置面との間に適量の浸水を導水することができるので、その浸水をポンプ３により自吸継続しながら設置面への密着力を保持することができる。その結果、浸水をさらに効果的に抑制することができる。
【００８４】
なお、第３実施形態のその他の効果は、上記第１実施形態と同様である。
【００８５】
［第４実施形態］
次に、図１１を参照して、本発明の第４実施形態について説明する。この第４実施形態では、ウォーターフェンス本体部１および構造体５を直線的に接続した上記第３実施形態とは異なり、ウォーターフェンス本体部１および構造体５をＵ字形状に接続した構成の例について説明する。
【００８６】
図１１に示すように、第４実施形態のウォーターフェンス４００は、ウォーターフェンス本体部１と、設置力増強部材２と、ポンプ３と、構造体５とを備えている。また、ウォーターフェンス４００は、ウォーターフェンス本体部１と、複数の構造体５とが、Ｕ字形状に接続されている。
【００８７】
ここで、第４実施形態では、ウォーターフェンス本体部１のＸ方向の両側には、構造体５が２つずつ連結されている。具体的には、構造体５の連結部５１が、連結位置５０において、構造体５または連結部材１４に連結されている。連結部材１４は、ウォーターフェンス本体部１に連結されている。また、ウォーターフェンス本体部１のぞれぞれの側面（Ｘ方向側の面）に対して、構造体５は、Ｙ方向に並んで配置されている。つまり、構造体５が、複数設けられ、一方の構造体５の連結部５１が、他方の構造体５と連結可能に構成されている。
【００８８】
なお、第４実施形態のその他の構成は、上記第３実施形態と同様である。
【００８９】
（第４実施形態の効果）
第４実施形態では、以下のような効果を得ることができる。
【００９０】
第４実施形態では、ウォーターフェンス本体部１に対して連結される連結部５１と、収容部５２とを含む構造体５を設ける。これにより、浸水を効果的に抑制することができる。
【００９１】
また、第４実施形態では、ウォーターフェンス本体部１および構造体５をＵ字形状に接続して配置する。これにより、ウォーターフェンス本体部１の背面側（Ｙ１方向側）に回り込んで浸水することを効果的に抑制することができる。
【００９２】
なお、第４実施形態のその他の効果は、上記第１実施形態と同様である。
【００９３】
（変形例）
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００９４】
たとえば、上記第１〜第４実施形態では、連結部が防水性を有するファスナーにより構成されている例を示したが、本発明はこれに限らない。本発明では、連結部は、ファスナー以外により構成されていてもよい。
【００９５】
また、上記第１〜第４実施形態では、構造体の収容部に水や砂や石などの重りを収容する構成の例を示したが、本発明はこれに限らない。本発明では、構造体の収容部に、その他の重りを収容してもよい。たとえば、構造体の収容部に、バーベルなどの重りを収容してもよいし、水や砂などを入れたペットボトルなどの容器を収容してもよい。
【００９６】
また、上記第１〜第４実施形態では、構造体の収容部の上部が密閉された状態で使用される構成の例を示したが、本発明はこれに限らない。本発明では、構造体の収容部の上部が開放された状態で使用されてもよい。
【００９７】
また、上記第１〜第４実施形態では、ウォーターフェンス本体部に入れる重り部材としてペットボトルを用いた例を示したが、本発明はこれに限らない。本発明では、ペットボトル以外の部材を重り部材として用いてもよい。たとえば、バーベルや石などを重り部材として用いてもよい。また、水や石などを重り部材として用いてもよい。
【００９８】
また、上記第１〜第４実施形態では、設置力増強部材が、第１設置力増強部材および第２設置力増強部材の２層により形成されている例を示したが、本発明はこれに限らない。本発明では、設置力増強部材を１層により形成してもよいし、３層以上により形成してもよい。
【００９９】
また、上記第１〜第４実施形態では、吸水装置として自吸式のポンプを用いる例を示したが、本発明はこれに限らない。本発明では、自吸式に限らず、吸水機能を有するポンプであれば特に限定されない。また、真空ポンプや掃除機などの真空吸引方式の吸引装置を用いてもよい。
【０１００】
また、上記第１〜第４実施形態では、ウォーターフェンスにより浸水を防ぐ例を示したが、本発明はこれに限らない。本発明では、ウォーターフェンスに加えて、土嚢や水嚢を周辺に配置して、浸水を防いでもよい。これにより、押し寄せる水の量が多い場合でも、ウォーターフェンスの周囲に土嚢や水嚢を設置することによって、ウォーターフェンスの背面から回り込もうとする水をせき止めるとともに、回り込もうとする水をウォーターフェンスの側面側の設置力増強部材から吸引することができる。
【０１０１】
また、上記第１〜第４実施形態では、ウォーターフェンス本体部の第１部材と第２部材とを連結部材により係合させて連結する構成の例を示したが、本発明はこれに限らない。本発明では、ウォーターフェンス本体部の第１部材と第２部材とをボルトにより締結して連結してもよい。
【０１０２】
また、上記第１および第２実施形態では、構造体とシートとを連結する構成の例を示したが、本発明はこれに限らない。本発明では、構造体とシートとを連結させず、シートの側面に接するように構造体を設置してもよい。このように構成しても、浸水を効果的に抑制することが可能である。
【０１０３】
また、上記第２および第４実施形態では、構造体を２つずつ連結した構成の例を示したが、本発明はこれに限らない。本発明では、構造体を３つ以上連結させて構成してもよい。
【符号の説明】
【０１０４】
１  ウォーターフェンス本体部
２  設置力増量部材
３  ポンプ（吸水装置）
５  構造体
６  シート
５１  連結部
５２  収容部
１００、２００、３００、４００  ウォーターフェンス
１１１  吸水装置取付部
【図１】
0006602157.tif 000002
【図２】
0006602157.tif 000003
【図３】
0006602157.tif 000004
【図４】
0006602157.tif 000005
【図５】
0006602157.tif 000006
【図６】
0006602157.tif 000007
【図７】
0006602157.tif 000008
【図８】
0006602157.tif 000009
【図９】
0006602157.tif 000010
【図１０】
0006602157.tif 000011
【図１１】
0006602157.tif 000012